【手続補正書】
【提出日】平成23年6月30日(2011.6.30)
【手続補正１】
【補正対象書類名】特許請求の範囲
【補正対象項目名】全文
【補正方法】変更
【補正の内容】
【特許請求の範囲】
【請求項１】
近接無線通信により外部装置と通信するための通信手段と、
前記通信手段を通じて前記外部装置から受信したデータを印刷する印刷手段と、
前記印刷手段による印刷処理中のエラーを検知するエラー検知手段とを有する画像形成装置であって、
前記通信手段を通じて外部装置からデータを受信したならば、前記外部装置との通信を切断し、前記受信したデータを前記印刷手段により印刷させるとともに、
前記受信したデータの印刷処理について前記エラー検知手段によりエラーが検知された後に、前記通信手段を通じて前記外部装置と再度通信可能になった際に、前記エラー検知手段が検知したエラーを表すエラー情報を前記通信手段を通じて前記外部装置へ送信させる、
制御手段を有することを特徴とする画像形成装置。
【請求項２】
前記受信したデータの印刷処理について前記エラー検知手段がエラーを検知した場合、前記外部装置を前記画像形成装置に近づけるよう報知を行う報知手段をさらに有することを特徴とする請求項１記載の画像形成装置。
【請求項３】
前記通信手段が、前記データを受信した外部装置の識別情報を保持するとともに、通信可能な外部装置の識別情報と、前記保持した識別情報とを比較して、前記データを受信した外部装置と再度通信可能になったか否かを判別することを特徴とする請求項１記載の画像形成装置。
【請求項４】
前記通信手段が、受信モード又は送信モードのいずれかで動作し、
前記制御手段は、前記画像形成装置が印刷可能な状態では、前記通信手段を受信モードに設定するとともに、前記エラー検知手段がエラーを検知したならば、前記通信手段を送信モードに設定することを特徴とする請求項１乃至請求項３のいずれか１項に記載の画像形成装置。
【請求項５】
近接無線通信により画像形成装置と通信するための通信手段と、表示手段とを有する画像供給装置であって、
前記通信手段を通じて通信可能な画像形成装置に対し、印刷するデータを前記通信手段を用いて送信させるとともに、
前記印刷するデータを送信した画像形成装置との通信が切断された後、予め定めた時間内に前記通信手段を通じて画像形成装置からデータを受信した場合、前記受信したデータをエラー情報と見なし、前記表示手段に前記エラー情報に基づく表示を行う、
制御手段を有することを特徴とする画像供給装置。
【請求項６】
前記通信手段が、受信モード又は送信モードのいずれかで動作し、
前記制御手段は、前記画像供給装置が前記印刷するデータを有する状態では、前記通信手段を送信モードに設定するとともに、前記印刷するデータを送信した画像形成装置との通信が切断されると、前記通信手段を受信モードに設定することを特徴とする請求項５記載の画像供給装置。
【請求項７】
前記通信手段が、受信モード又は送信モードのいずれかで動作し、
前記制御手段は、前記画像供給装置が前記印刷するデータを有する状態では、前記通信手段を送信モードに設定するとともに、前記印刷するデータを送信した画像形成装置との通信が切断された後、送信モードに設定された通信手段を有する画像形成装置を前記通信手段が検知したならば、前記通信手段を受信モードに設定することを特徴とする請求項５記載の画像供給装置。
【請求項８】
近接無線通信により外部装置と通信するための通信手段と、
前記通信手段を通じて前記外部装置から受信したデータを印刷する印刷手段と、
前記印刷手段による印刷処理中のエラーを検知するエラー検知手段とを有する画像形成装置の制御方法であって、
前記通信手段を通じて外部装置からデータを受信したならば、制御手段が前記外部装置との通信を切断するステップと、
前記受信したデータを前記制御手段が前記印刷手段により印刷させるステップと、
前記受信したデータの印刷処理について前記エラー検知手段によりエラーが検知された後に、前記通信手段を通じて前記外部装置と再度通信可能になった際に、前記受信したデータの印刷処理について前記エラー検知手段が検知したエラーを表すエラー情報を前記制御手段が前記通信手段を通じて前記外部装置へ送信させるステップとを有することを特徴とする画像形成装置の制御方法。
【請求項９】
近接無線通信により画像形成装置と通信するための通信手段と、表示手段とを有する画像供給装置の制御方法であって、
制御手段が、前記通信手段を通じて通信可能な画像形成装置に対し、印刷するデータを前記通信手段を用いて送信するステップと、
前記制御手段が、前記印刷するデータを送信した画像形成装置との通信が切断された後、予め定めた時間内に前記通信手段を通じて画像形成装置からデータを受信した場合、前記受信したデータをエラー情報と見なし、前記表示手段に前記エラー情報に基づく表示を行うステップとを有することを特徴とする画像供給装置の制御方法。
【手続補正２】
【補正対象書類名】明細書
【補正対象項目名】０００７
【補正方法】変更
【補正の内容】
【０００７】
上述の目的は、近接無線通信により外部装置と通信するための通信手段と、通信手段を通じて外部装置から受信したデータを印刷する印刷手段と、印刷手段による印刷処理中のエラーを検知するエラー検知手段とを有する画像形成装置であって、通信手段を通じて外部装置からデータを受信したならば、外部装置との通信を切断し、受信したデータを印刷手段により印刷させるとともに、受信したデータの印刷処理についてエラー検知手段によりエラーが検知された後に、通信手段を通じて外部装置と再度通信可能になった際に、エラー検知手段が検知したエラーを表すエラー情報を通信手段を通じて外部装置へ送信させる、制御手段を有することを特徴とする画像形成装置によって達成される。
【手続補正３】
【補正対象書類名】明細書
【補正対象項目名】０００８
【補正方法】変更
【補正の内容】
【０００８】
また、上述の目的は、近接無線通信により画像形成装置と通信するための通信手段と、表示手段とを有する画像供給装置であって、通信手段を通じて通信可能な画像形成装置に対し、印刷するデータを通信手段を用いて送信させるとともに、印刷するデータを送信した画像形成装置との通信が切断された後、予め定めた時間内に通信手段を通じて画像形成装置からデータを受信した場合、受信したデータをエラー情報と見なし、表示手段にエラー情報に基づく表示を行う、制御手段を有することを特徴とする画像供給装置によっても達成される。
【手続補正４】
【補正対象書類名】明細書
【補正対象項目名】０００９
【補正方法】変更
【補正の内容】
【０００９】
また、上述の目的は、近接無線通信により外部装置と通信するための通信手段と、通信手段を通じて外部装置から受信したデータを印刷する印刷手段と、印刷手段による印刷処理中のエラーを検知するエラー検知手段とを有する画像形成装置の制御方法であって、通信手段を通じて外部装置からデータを受信したならば、制御手段が外部装置との通信を切断するステップと、受信したデータを制御手段が印刷手段により印刷させるステップと、受信したデータの印刷処理についてエラー検知手段によりエラーが検知された後に、通信手段を通じて外部装置と再度通信可能になった際に、受信したデータの印刷処理についてエラー検知手段が検知したエラーを表すエラー情報を制御手段が通信手段を通じて外部装置へ送信させるステップとを有することを特徴とする画像形成装置の制御方法によっても達成される。
【手続補正５】
【補正対象書類名】明細書
【補正対象項目名】００１０
【補正方法】変更
【補正の内容】
【００１０】
また、上述の目的は、近接無線通信により画像形成装置と通信するための通信手段と、表示手段とを有する画像供給装置の制御方法であって、制御手段が、通信手段を通じて通信可能な画像形成装置に対し、印刷するデータを通信手段を用いて送信するステップと、制御手段が、印刷するデータを送信した画像形成装置との通信が切断された後、予め定めた時間内に通信手段を通じて画像形成装置からデータを受信した場合、受信したデータをエラー情報と見なし、表示手段にエラー情報に基づく表示を行うステップとを有することを特徴とする画像供給装置の制御方法によっても達成される。